(57)【要約】【課題】  ホルダにバイブレーションモータを収納したり、バイブレーションモータを収納したホルダを電気電子機器等に容易にセットでき、バイブレーションモータがその振動でホルダから抜け出たり、バイブレーションモータ自体が回転するおそれを排除できるバイブレーションモータ用ホルダ及びその接続構造を提供する。【解決手段】  バイブレーションモータ１を収納する弾性変形可能な筒形ホルダ１０と、筒形ホルダ１０の周壁底部に切り欠かれ、筒形ホルダ１０の先端部から末端部方向に伸びるバイブレーションモータ用の着脱スリット２０と、筒形ホルダ１０に貫通支持されてバイブレーションモータ１の一対の電極４に弾接する電気コネクタ３０とを備える。そして、電気コネクタ３０の露出部と実装基板４０のランド４１を導通接続する。着脱スリット２０が筒形ホルダ１０の周壁を二つに分割してバイブレーションモータ１の周壁側からの嵌脱を可能にする。【選択図】  図１
2005124364.tif 000002
【特許請求の範囲】
【請求項１】
バイブレーションモータを保護するバイブレーションモータ用ホルダであって、
バイブレーションモータを収納する変形可能なホルダと、このホルダの周壁に設けられるバイブレーションモータ用の着脱スリットとを含んでなることを特徴とするバイブレーションモータ用ホルダ。
【請求項２】
ホルダに支持されてバイブレーションモータの電極部に接触する電気コネクタを備えてなる請求項１記載のバイブレーションモータ用ホルダ。
【請求項３】
少なくともホルダの内部に、バイブレーションモータの凸部に対応する凹部を設け、この凹部とバイブレーションモータの凸部とを嵌め合わせてバイブレーションモータの着脱を規制するようにした請求項１又は２記載のバイブレーションモータ用ホルダ。
【請求項４】
ホルダの外周面に突部を形成した請求項１、２、又は３記載のバイブレーションモータ用ホルダ。
【請求項５】
請求項４に記載したバイブレーションモータ用ホルダの突部と電気コネクタとを電気接合物に接触させ、電気コネクタの露出部と電気接合物の電極部とを電気的に導通接続するようにしたことを特徴とするバイブレーションモータ用ホルダの接続構造。
【発明の詳細な説明】
【技術分野】
【０００１】
本発明は、携帯電話やページャー等に使用されるバイブレーションモータ用ホルダ及びその接続構造に関するものである。
【背景技術】
【０００２】
携帯電話等からなる小型の通信機器は、着信時に呼び出し音が鳴るが、この呼び出し音が映画館、会議中、あるいは電車内等で突然鳴り出すと、周囲の者に不快感や迷惑を及ぼすことがある。そこで、近時の通信機器として、着信を振動で所有者に知らせるバイブレーションモータ内蔵タイプが提案されている。
【０００３】
この種のタイプは、図示しないが、振動を発生させるバイブレーションモータを収納する筒形ホルダを備え、この筒形ホルダの周壁に、バイブレーションモータの電極に接触するゴムコネクタが挿着されており、このゴムコネクタの露出部が実装基板のランドに導通接続される（特許文献１、特許文献２参照）。
【特許文献１】特許第３２９９９２４号公報
【特許文献２】特許第３２９５０３８号公報
【発明の開示】
【発明が解決しようとする課題】
【０００４】
従来のバイブレーションモータ用ホルダは、以上のように構成され、筒形ホルダにバイブレーションモータが単に嵌入されるに止まるので、筒形ホルダとバイブレーションモータとの嵌め合いがきつい場合には、筒形ホルダにバイブレーションモータを嵌入したり、バイブレーションモータを収納した筒形ホルダを通信機器の筐体の保持部にセットするのがきわめて困難になるという問題がある。
【０００５】
これに対し、筒形ホルダとバイブレーションモータとの嵌め合いが逆に緩い場合には、バイブレーションモータがその振動により筒形ホルダから抜け出るおそれが少なくない。
【０００６】
本発明は、上記に鑑みなされたもので、ホルダにバイブレーションモータを収納したり、バイブレーションモータを収納したホルダを電気電子機器等に容易にセットすることができ、しかも、バイブレーションモータがその振動によりホルダから抜け出たり、バイブレーションモータ自体が回転するおそれを排除することのできるバイブレーションモータ用ホルダ及びその接続構造を提供することを目的としている。
【課題を解決するための手段】
【０００７】
本発明においては、上記課題を解決するため、バイブレーションモータを保護するものであって、
バイブレーションモータを収納する変形可能なホルダと、このホルダの周壁に設けられるバイブレーションモータ用の着脱スリットとを含んでなることを特徴としている。
なお、ホルダに支持されてバイブレーションモータの電極部に接触する電気コネクタを備えることができる。
【０００８】
また、少なくともホルダの内部に、バイブレーションモータの凸部に対応する凹部を設け、この凹部とバイブレーションモータの凸部とを嵌め合わせてバイブレーションモータの着脱を規制することができる。
また、ホルダの外周面に突部を形成することもできる。
【０００９】
また、本発明においては、上記課題を解決するため、請求項４に記載したバイブレーションモータ用ホルダの突部と電気コネクタとを電気接合物に接触させ、電気コネクタの露出部と電気接合物の電極部とを電気的に導通（電流を導き通す）接続するようにしたことを特徴としている。
【００１０】
ここで、特許請求の範囲におけるホルダは、両端部が開口した底なしの筒形でも良いし、有底円筒形等でも良く、縦横いずれの方向にも配置できる。着脱スリットは、連続した波形、連続した山形、直線的な線条でも良いし、Ｔ字形、略Δ形等でも良く、幅を広くすることも、狭くすることも可能である。また、凹部は、ホルダの内部と周壁のうち、少なくともホルダの内部に設けられれば良く、ホルダの内部及び周壁に連続して設けられても良い。
【００１１】
突部は、単数複数を特に問うものではなく、トラック形、円柱形、角柱形、円錐台形、角錐台形、半球形等に形成することができる。この突部は、ホルダの外周面先端部側に主に設けられるが、ホルダの外周面中央部付近等に設けることも可能であり、電気接合物に面接触するものでも、点接触するものでも良い。電気コネクタは、主にホルダ外周面の末端部やその周辺に設けられる。また、電気接合物には、少なくともプリント基板、回路基板、各種の電子部品等が含まれる。
【００１２】
さらに、バイブレーションモータ用ホルダ及びその接続構造は、携帯電話等からなる小型の通信機器に主に使用されるが、何らこれに限定されるものではない。例えば、腕時計やポケベル等、各種の電気電子機器に使用することも可能である。
【００１３】
本発明によれば、着脱スリットが変形可能なホルダの周壁を分割するので、この広げることのできる周壁側からバイブレーションモータを取り付けたり、取り外すことができる。
また、ホルダの内部に少なくとも凹部を設ければ、この凹部がバイブレーションモータの凸部に引っかかってバイブレーションモータの脱落を制限したり、バイブレーションモータ自体が回転するおそれを解消する。
【発明の効果】
【００１４】
本発明によれば、ホルダにバイブレーションモータを収納したり、バイブレーションモータを収納したホルダを電気電子機器等に容易にセットすることができるという効果がある。また、バイブレーションモータがその振動によりホルダから抜け出たり、バイブレーションモータ自体が回転するおそれを排除することができる。
【発明を実施するための最良の形態】
【００１５】
以下、図面を参照して本発明の好ましい実施の形態を説明すると、本実施形態におけるバイブレーションモータ用ホルダは、図１ないし図１８に示すように、小型のバイブレーションモータ１を被覆保護する筒形ホルダ１０と、この筒形ホルダ１０の周壁に切り欠かれるバイブレーションモータ用の着脱スリット２０と、筒形ホルダ１０に支持されてバイブレーションモータ１の一対の電極４に弾接する電気コネクタ３０とを備え、この電気コネクタ３０と通信機器を構成する実装基板４０のランド４１とを電気的に導通接続するようにしている。
【００１６】
バイブレーションモータ１は、図１ないし図７に示すように、複数の凸部５を有し、筒形ホルダ１０に嵌入される円筒の本体２を備え、この本体２の先端部の回転軸には、筒形ホルダ１０から露出する高比重合金製の偏心体３が嵌着支持され、本体２の上面末端部に、左右一対の電極４が並べて配設されており、給電に基づき偏心体３を回転させて振動するよう機能する。
【００１７】
本体２の上下前後左右には図５ないし図７に示すように、偏心体３の投影領域から食み出る複数の凸部５、例えば、隅の角や金属片等が散在して一体形成され、この複数の凸部５の一部分を一対の電極４が形成する。偏心体３は、例えば円柱が略半分切り欠かれた半円柱形に構成される。
【００１８】
筒形ホルダ１０は、図８ないし図１５に示すように、可撓性、変形性、弾性等を有する所定の絶縁性エラストマー等を使用して先端部の開口した有底角筒形に成形され、通信機器を構成する筐体５０の保持部５１に水平に嵌入されて保持部５１の取り付け誤差を吸収するとともに、バイブレーションモータ１と筐体５０との密着度を向上させ、バイブレーションモータ１の振動を筐体５０に良好に伝導する。
【００１９】
筒形ホルダ１０の具体的な材料としては、天然ゴム、ポリイソプレン、ポリブタジエン、クロロプレンゴム、シリコーンゴム等があげられる。これらの中でも、絶縁性、耐候性、加工性等の観点からシリコーンゴムが最適である。
【００２０】
筒形ホルダ１０の内部は円筒に形成され、この内部の後方から周壁の底部にかけてバイブレーションモータ１の凸部５に対応する凹部１１が拡幅に形成されたり、凸凹等に一体形成されており、この凹部１１に凸部５の一部が嵌合係止してバイブレーションモータ１の軸方向への脱落を有効に規制したり、バイブレーションモータ１の本体２の回転を抑制防止する。凹部１１の開口１２は、図３や図１０に示すように、筒形ホルダ１０の周壁底部の末端部側に長方形に形成され、筒形ホルダ１０の左右方向に指向する。この開口１２の形状は、凸部５の大きさ、形状、位置に対応して多角形、円形、楕円形等に適宜変更される。
【００２１】
筒形ホルダ１０の周壁の外周面先端部側には、左右方向に指向する平面略長方形の突部１３が一体成形され、筒形ホルダ１０の周壁の外周面末端部側には、バイブレーションモータ１の一対の電極４に対応する電気コネクタ３０が一体化される。
【００２２】
着脱スリット２０は、図１、図３、図１０、図１１、図１３ないし図１５に示すように、筒形ホルダ１０の周壁底部に切り欠かれ、筒形ホルダ１０の先端部から末端部に直線的に長く伸びて凹部１１の開口１２に連通される。この着脱スリット２０は、凹部１１の開口１２と相まって平面略Ｔ字形を呈し、筒形ホルダ１０の周壁底部を左右二つに大きく開放（図３の矢印参照）してバイブレーションモータ１の嵌入被覆や取り外しを容易化するとともに、バイブレーションモータ１のセット時に筐体５０の保持部５１に対向して隠蔽される。
【００２３】
電気コネクタ３０は、図１、図２、図８、図１４等に示すように、弾性を有する単数複数の導電接続子３１を備え、この導電接続子３１が筒形ホルダ１０に一体成形されてその両端部が筒形ホルダ１０の周壁からそれぞれ突出する。そして、突部１３と略同じ高さに揃えられ、この突部１３との間に隙間３２が形成されており、導電接続子３１への応力集中が可能な状態でバイブレーションモータ１の一対の電極４に圧縮状態で接続する。このため、低圧縮力においても、安定した電気的接続が可能になる。
【００２４】
導電接続子３１は、例えば、導電エラストマー（例えば、絶縁エラストマーに導電粒子等が配合されることにより製造される）３３と絶縁エラストマー３４とを交互に並べることにより形成されたり（図９、図１４、図１７（ａ）、（ｂ）参照）、導電エラストマー３３を断面略六角形に複数成形することにより形成される（図１６参照）。
【００２５】
また、ブロック形の絶縁エラストマー３４の表面に複数本の導電細線３５を所定のピッチで並べることにより形成されたり（図１８（ａ）参照）、柱形の絶縁エラストマー３４の内部長手方向に複数本の導電細線３５を所定のピッチで埋設し、各導電細線３５の両端部をそれぞれ露出させることによっても形成される（同図（ｂ）参照）。
【００２６】
実装基板４０は、図１や図２に示すように、図示しない電子部品を搭載し、箱形を呈した筐体５０の保持部５１を上方から被覆するようセットされる。そして、平坦な筒形ホルダ１０の突部１３と電気コネクタ３０の露出部とに相対的に圧接されるとともに、電極部である一対のランド４１が筒形ホルダ１０の外周面から露出した電気コネクタ３０の露出部に電気的に圧接される。
【００２７】
上記構成において、バイブレーションモータ１と実装基板４０とを電気的に導通接続する場合には、先ず、バイブレーションモータ用ホルダの筒形ホルダ１０にバイブレーションモータ１を軸方向からではなく、側方から着脱スリット２０を介し嵌入して一対の電極４と電気コネクタ３０の突出部とを接触させ、筐体５０の保持部５１に筒形ホルダ１０を嵌合する。
【００２８】
そしてその後、バイブレーションモータ用ホルダの突部１３と電気コネクタ３０とを実装基板４０にそれぞれ圧接し、かつ電気コネクタ３０の露出部と実装基板４０のランド４１とを強く接触させれば、バイブレーションモータ１と実装基板４０とを導通することができる（図１、図２参照）。
【００２９】
上記構成によれば、着脱スリット２０が変形可能な筒形ホルダ１０の周壁を幅方向に大きく二つに割り広げてバイブレーションモータ１の側方側（筒形ホルダ１０の軸方向と直交する方向）からの嵌脱を可能にする。したがって、筒形ホルダ１０のきつい開口部にバイブレーションモータ１を密嵌したり、バイブレーションモータ１を収納した筒形ホルダ１０を筐体５０の保持部５１にセットするのが困難になることがない。特に、障害物となりやすい凸部５を備えたバイブレーションモータ１を筒形ホルダ１０に嵌入するのが実に容易となる。
【００３０】
また、凹部１１がバイブレーションモータ１の凸部５と相互に嵌合してバイブレーションモータ１の脱落やバイブレーションモータ１の本体２の回転を防ぐので、バイブレーションモータ１がその振動により筒形ホルダ１０から抜け出るおそれがない。また、筒形ホルダ１０から弾性の突部１３が部分的に突出して実装基板４０に弾接し、筒形ホルダ１０の姿勢を安定させつつ、応力を集中させるので、電気コネクタ３０の電気的接続が確実になる。
【００３１】
また、突部１３と電気コネクタ３０とにより、筒形ホルダ１０と筐体５０の保持部５１との密着度が向上し、バイブレーションモータ１ががたつくことなく安定して保持されるので、偏心体３の安定した回転が大いに期待できる。さらに、電気的な接続にハンダを用いるのではなく、弾性を有する導電ゴム製の電気コネクタ３０を使用すれば、取り付け取り外しや交換の作業の容易化が期待できるとともに、振動にかかわらず、安定した接続を確保することができ、かつバイブレーションモータ１の一対の電極４や実装基板４０のランド４１にダメージを与えることがない。
【００３２】
なお、バイブレーションモータ１、筒形ホルダ１０、実装基板４０は、図１における上下方向を逆にした関係でも良いし、９０°回転させた関係でも良い。また、バイブレーションモータ１の側方側からの嵌脱に支障を来たさなければ、着脱スリット２０を、筒形ホルダ１０の先端部から末端部方向に図３の長さよりも短く切り欠いたり、凹部１１の開口１２に連続させなくすることもできる。
【００３３】
次に、図１９は本発明の第２の実施の形態を示すもので、この場合には、着脱スリット２０を筒形ホルダ１０の周壁上部に直線的に切り欠き、筒形ホルダ１０の周壁上部と突部１３を左右二つに分割するようにしている。その他の部分については、上記実施形態と同様であるので説明を省略する。
本実施形態においても上記実施形態と同様の作用効果が期待でき、着脱スリット２０と突部１３の多様化を図ることができるのは明らかである。
【００３４】
次に、図２０は本発明の第３の実施の形態を示すもので、この場合には、着脱スリット２０を筒形ホルダ１０の周壁側部に直線的に切り欠くようにしている。その他の部分については、上記実施形態と同様であるので説明を省略する。
本実施形態においても上記実施形態と同様の作用効果が期待でき、着脱スリット２０の多様化を図ることができる。
【図面の簡単な説明】
【００３５】
【図１】本発明に係るバイブレーションモータ用ホルダ及びその接続構造の実施形態を示す断面側面図である。
【図２】本発明に係るバイブレーションモータ用ホルダ及びその接続構造の実施形態を示す断面正面図である。
【図３】本発明に係るバイブレーションモータ用ホルダの実施形態を示す底面図である。
【図４】本発明に係るバイブレーションモータ用ホルダの実施形態におけるバイブレーションモータを示す側面図である。
【図５】本発明に係るバイブレーションモータ用ホルダの実施形態におけるバイブレーションモータを示す平面図である。
【図６】本発明に係るバイブレーションモータ用ホルダの実施形態におけるバイブレーションモータを示す正面図である。
【図７】本発明に係るバイブレーションモータ用ホルダの実施形態におけるバイブレーションモータを示す背面図である。
【図８】本発明に係るバイブレーションモータ用ホルダの実施形態における筒形ホルダを示す部分断面説明図である。
【図９】図８の平面図である。
【図１０】図８の底面図である。
【図１１】図８の正面図である。
【図１２】図８の背面図である。
【図１３】図８のＸＩＩＩ−ＸＩＩＩ線断面図である。
【図１４】図８のＸＩＶ−ＸＩＶ線断面図である。
【図１５】図８のＸＶ−ＸＶ線断面図である。
【図１６】本発明に係るバイブレーションモータ用ホルダの実施形態における電気コネクタを示す説明図である。
【図１７】本発明に係るバイブレーションモータ用ホルダの実施形態における他の電気コネクタを示す説明図である。
【図１８】本発明に係るバイブレーションモータ用ホルダの実施形態における他の電気コネクタを示す説明図である。
【図１９】本発明に係るバイブレーションモータ用ホルダの第２の実施形態を示す平面説明図である。
【図２０】本発明に係るバイブレーションモータ用ホルダの第３の実施形態を示す正面説明図である。
【符号の説明】
【００３６】
１          バイブレーションモータ
２          本体
３          偏心体
４          電極（電極部）
５          凸部
１０        筒形ホルダ（ホルダ）
１１        凹部
１２        開口
１３        突部
２０        着脱スリット
３０        電気コネクタ
３１        導電接続子
３２        隙間
４０        実装基板（電気接合物）
４１        ランド（電極部）
５０        筐体
５１        保持部
【図１】
2005124364.tif 000003
【図２】
2005124364.tif 000004
【図３】
2005124364.tif 000005
【図４】
2005124364.tif 000006
【図５】
2005124364.tif 000007
【図６】
2005124364.tif 000008
【図７】
2005124364.tif 000009
【図８】
2005124364.tif 000010
【図９】
2005124364.tif 000011
【図１０】
2005124364.tif 000012
【図１１】
2005124364.tif 000013
【図１２】
2005124364.tif 000014
【図１３】
2005124364.tif 000015
【図１４】
2005124364.tif 000016
【図１５】
2005124364.tif 000017
【図１６】
2005124364.tif 000018
【図１７】
2005124364.tif 000019
【図１８】
2005124364.tif 000020
【図１９】
2005124364.tif 000021
【図２０】
2005124364.tif 000022